(57)【要約】【課題】  時刻及び位置を容易に記録することができる情報処理補助装置を提供することを目的とする。【解決手段】  押しボタン２８が１回押されると、制御手段２０は、ＧＰＳ手段２２が検出する現在時刻及び現在位置をＧＰＳ手段２２から取得し、その内容を表示手段２４に表示する。さらに、制御手段２０は、取得した現在時刻及び現在位置を、メモリー２６に格納する。押しボタン２８が「長押し」されると、制御手段２０は、表示モードに移行すると共に、メモリー２６内に格納されている「時刻」及び「位置」の中から、最も新しいデータを探して取り出す。制御手段２０は、取り出した「時刻」及び「位置」を、表示手段２４に表示する。表示モードでは、制御手段２０は、押しボタン２８が１回押下される毎に、順次過去のデータ（位置及び時刻）を表示手段２４に表示していく。これによって、利用者は時刻と位置のデータを順次遡って確認することができる。【選択図】      図１
2005083903.tif 000002
【特許請求の範囲】
【請求項１】
現在位置を検出する位置検出手段と、
現在時刻を検出する時刻検出手段と、
利用者の指示を入力する入力手段と、
位置及び時刻を記憶可能な記憶手段と、
位置及び時刻を表示可能な表示手段と、
制御手段と、
を含み、
前記制御手段は、
前記入力手段から、前記利用者が記憶指示を入力した場合に、前記位置検出手段が検出する現在位置と、前記時刻検出手段が検出する現在時刻と、を前記記憶手段に記憶し、
前記入力手段から、前記利用者が表示指示を入力した場合に、前記記憶手段中に記憶されている位置及び時刻を、表示手段に表示することを特徴とする情報処理補助装置。
【発明の詳細な説明】
【技術分野】
【０００１】
本発明は、人の情報処理を補助する情報処理補助装置に関する。特に、人の記憶作業を補助するための情報を記憶しうる装置に関する。
【背景技術】
【０００２】
人の記憶を補助するための道具は古くからさまざまなものが利用されている。いわゆるメモ帳などは、古典的な道具の一つである。また、近年は、ＰＤＡ（Personal Digital Assistant）と呼ばれる電子的な知的ツールも広く利用されている。
【０００３】
下記特許文献１には、人間の視聴覚情報を時刻情報と共に記憶しておく記憶支援システムが開示されている。ここに記載されている記憶支援システムによれば、カメラで撮影した画像と、マイクで取得した音響情報と、時刻情報と、が蓄積サーバに蓄積される。そして、利用者は、蓄積サーバ中のこれら情報を、通信回線を介していつでも参照することができると記載されている。
【０００４】
【特許文献１】特開２００３−２４４６９１号公報
【発明の開示】
【発明が解決しようとする課題】
【０００５】
このように、視聴覚情報を、時刻情報と共に記憶することによって、人間の記憶を補助しようとするアイデアは知られている。
【０００６】
思い出す作業
ところで、人の記憶を補助するためには、人の「思い出す」作業とは、どのようなものかを検討し、思い出す作業に合致した道具を構築することが望ましい。
【０００７】
たとえば、コンピュータに保存したファイルは、ファイル名（パス名）を覚えていれば容易に格納場所を思い出せる。ファイル名を忘れてしまった場合は、ファイルを保存した時刻や、そのファイルの性質に由来する場所から、検索を実行し、所望のファイルを探すことが多い。これは本願発明者の経験に基づくものである。
【０００８】
多くの場合、人間は、時刻と場所がわかれば、そのとき何をしていたかを比較的容易に思い出すことが可能である。「夕方６時に映画館」という情報がわかれば、映画を見る予定であること（又はあったこと）を思い出すことができる。場所から映画を見ることを思い出し、時刻から映画のタイトルを調べることもできる。また、たとえば、「午前１１時に郵便局」という情報から、午前中に何か郵便物を出したこと（又は出す予定であること）を思い出すことが可能である。
【０００９】
したがって、本願発明者は、人間が「時刻」と「場所」さえわかれば、その内容を比較的容易に思い起こすことができるという経験的事実に基づき、時刻と場所（位置）を容易に記録することができる装置を作成すれば、人間の記憶作業を効率的に補助可能な情報処理補助装置が得られると考えた。
【００１０】
以上述べたように、本発明の目的は、時刻及び位置を容易に記録することができる情報処理補助装置を提供することである。
【課題を解決するための手段】
【００１１】
本発明は、上記目的を達成するために、現在位置を検出する位置検出手段と、現在時刻を検出する時刻検出手段と、利用者の指示を入力する入力手段と、位置及び時刻を記憶可能な記憶手段と、位置及び時刻を表示可能な表示手段と、制御手段と、を含み、前記制御手段は、前記入力手段から、前記利用者が記憶指示を入力した場合に、前記位置検出手段が検出する現在位置と、前記時刻検出手段が検出する現在時刻と、を前記記憶手段に記憶し、前記入力手段から、前記利用者が表示指示を入力した場合に、前記記憶手段中に記憶されている位置及び時刻を、表示手段に表示することを特徴とする情報処理補助装置である。
【発明の効果】
【００１２】
本発明によれば、時刻と位置とを記録しておき、利用者からの指示によってそれらが表示することが可能となる。そのため、利用者の記憶を良好に補助する道具が得られる。
【発明を実施するための最良の形態】
【００１３】
以下、本発明の好適な実施の形態を図面に基づいて説明する。
【００１４】
全体構成
図１には、本実施の形態における情報処理補助装置１０の機能ブロック図が示されている。この図に示すように、情報処理補助装置１０は、制御手段２０を有しており、この制御手段２０に、ＧＰＳ手段２２と、表示手段２４と、メモリー２６と、押しボタン２８と、が接続されている。
【００１５】
ＧＰＳ手段２２は、いわゆるGlobal Positioning Systemを利用して、現在位置を検出する手段である。この位置は、緯度と経度で表される。たとえば、N35°41' 49" E139°38' 21"等と表現される。これは北緯３５度４１分４９秒、東経１３９度３８分２１秒を表す。このＧＰＳ手段２２は、ＧＰＳ衛星からの電波を受信してこの位置を検出するが、電波には時刻情報が含まれているので、同時に時刻も検出することができる。すなわち、このＧＰＳ手段２２は、位置検出手段であり、また時刻検出手段でもある。
【００１６】
表示手段２４は、液晶表示装置であり、文字を２行表示可能である。上段には時刻が表示され、下段には位置（緯度経度）が表示される。上段と下段の間（行間）には白い破線がシルクパターン印刷によって刻印されている。この破線は盛り上がっていることが望ましい。
【００１７】
メモリー２６はフラッシュメモリーであり、時刻や位置の情報を格納する記憶手段である。
【００１８】
押しボタン２８は、利用者が各種の指示を入力する入力手段である。
【００１９】
制御手段２０は、コンピュータであり、押しボタン２８から入力される利用者の指示に基づき所定の動作を実行する。
【００２０】
記録動作
利用者は、現在の位置と時刻を記録したい場合に、押しボタン２８を１回押す。制御手段２０は、押しボタン２８の押下状態（導通状態）を常に監視しており、短い時間導通状態になった場合には、記憶指示が入力されたと判断する。記憶指示が入力された場合、制御手段２０は、ＧＰＳ手段２２が検出する現在時刻及び現在位置をＧＰＳ手段２２から取得し、その内容を表示手段２４に表示する。この際、現在時刻は、上段に表示され、現在位置は下段に表示される。なお、この表示の際のフォーマットは決まっている。
【００２１】
さらに、制御手段２０は、取得した現在時刻及び現在位置を、メモリー２６に格納する。このように、利用者か押しボタン２８を押下することによって記録指示が入力されるのを待つ状態を記録モードと呼ぶ。
【００２２】
表示動作
利用者は、これまでに記録した「位置」と「時刻」を参照したい場合に、押しボタン２８を長時間押す。これはいわゆる「長押し」と呼ばれるものである。制御手段２０は、押しボタン２８の押下状態（導通状態）を常に監視しており、長い時間（たとえば２秒以上）の間、導通状態になった場合には、表示指示が入力されたと判断する。表示指示が入力された場合、制御手段２０は、表示モードに移行する。また、制御手段２０は、メモリー２６内に格納されている「時刻」及び「位置」の中から、最も新しいデータを探して取り出す。制御手段２０は、取り出した「時刻」及び「位置」を、表示手段２４に表示する。
【００２３】
表示モードでは、制御手段２０は、押しボタン２８が１回押下される毎に、順次過去のデータ（位置及び時刻）を表示手段２４に表示していく。ここでいう１回押下とは、押しボタン２８を短時間押下することである。このような動作によって、現在時点から順次遡って過去のデータ（位置及び時刻）を利用者は見ることが可能である。
【００２４】
一方、表示モードでは、制御手段２０が、押しボタン２８が長押しされたことを検出した場合には、表示単位が変更される。ここで、表示単位とは、押しボタン２８を１回押下した場合にどの単位で過去に遡るかを表す単位である。初期状態では、この表示単位は「時間」（＝６０分）である。しかし、「時間」を単位として遡ると、何日も前のデータにたどり着くまでに何度も押しボタン２８を押下しなければならず煩雑である。そこで、押しボタン２８を長押しした場合には、制御手段２０はこの表示単位を変更するのである。現在の表示単位は、表示手段２４に表示されている時刻中の「年」や「月」「日」等の内、表示単位のデータを点滅表示することによって利用者に知らされる。
【００２５】
初期状態では、「時間」であったが、利用者が押しボタン２８を１回長押しすることによって、表示単位は、「日」に変更され、「日」のデータが点滅表示される。以下、長押しするたびに表示単位は「時間」−「日」−「月」−「年」の順番で変更されていく。
【００２６】
表示単位が「年」の状態からさらに長押しをすると、制御手段２０は表示モードの終了と判断し、再び記録指示を待つ状態、すなわち記録モードに移行する。
【００２７】
以上述べたように、本実施の形態によれば、利用者は簡易な動作で現在時刻及び位置を記録することができる。さらに、本実施の形態によれば、簡易な動作で記録した時刻及び位置を現時点から遡って確認することが可能である。
【００２８】
なお、情報処理補助装置１０は、手に収まる程度の大きさとすることが望ましい。キーホルダー等に取り付けるのも好ましく、携帯電話のストラップに取り付けるのも好ましい。また、押しボタン２８のボタン部に表示手段２４の画面を設けることも好ましい。また、メモリー２６に記憶した内容を外部に取り出すための通信手段を別途設けても好ましい。たとえば、ＵＳＢ端子を設けてメモリー２６の内容を外部に取り出せるように構成しても良い。
【図面の簡単な説明】
【００２９】
【図１】本実施の形態１の情報処理補助装置の機能ブロック図である。
【符号の説明】
【００３０】
１０  情報処理補助装置
２０  制御手段
２２  ＧＰＳ手段
２４  表示手段
２６  メモリー
２８  押しボタン
【図１】
2005083903.tif 000003